(57)【要約】【課題】凹槽及び凹槽と係合する突起からなる案内構造が設置され、レンズを安定に伸縮移動させるように案内するカメラ用自動焦点調節構造を提供すること。【解決手段】レンズモジュールと、前記レンズモジュールを囲む永久磁石と、前記永久磁石の一側に設置される少なくとも１つのコイルベースと、前記コイルベースに巻かれるコイルと、を含むカメラ用自動焦点調節構造において、前記レンズモジュールは、鏡筒と、前記鏡筒の内に装着されるレンズと、を含み、前記鏡筒と前記コイルベースの間には、レンズを伸縮移動するように案内する凹槽と突起がそれぞれ形成されている。【選択図】図１
2008058964.tif 000002
【特許請求の範囲】
【請求項１】
レンズモジュールと、
前記レンズモジュールを囲む永久磁石と、
前記永久磁石の一側に設置される少なくとも１つのコイルベースと、
前記コイルベースに巻かれるコイルと、を含むカメラ用自動焦点調節構造において、
前記レンズモジュールは、
鏡筒と、
前記鏡筒の内に装着されるレンズと、を含み、
前記鏡筒と前記コイルベースの間には、レンズを伸縮移動するように案内する凹槽と突起がそれぞれ形成されていることを特徴とするカメラ用自動焦点調節構造。
【請求項２】
前記突起が前記コイルベースに形成され、前記凹槽が前記鏡筒に形成されることを特徴とする、請求項１記載のカメラ用自動焦点調節構造。
【請求項３】
前記凹槽が前記コイルベースに形成され、前記突起が前記鏡筒に形成されることを特徴とする、請求項１記載のカメラ用自動焦点調節構造。
【請求項４】
前記少なくとも１つのコイルベースは、前記永久磁石の両側に設置される上コイルベースと下コイルベースを含み、
前記上コイルベースと下コイルベースには、上コイルと下コイルがそれぞれ巻かれていることを特徴とする、請求項１記載のカメラ用自動焦点調節構造。
【請求項５】
前記突起と凹槽が、前記上コイルベースと、前記上コイルベースが配置された前記鏡筒の上端部にそれぞれ形成されることを特徴とする、請求項４記載のカメラ用自動焦点調節構造。
【請求項６】
前記突起と凹槽が、前記下コイルベースと、前記下コイルベースが配置された前記鏡筒の下端部にそれぞれ形成されることを特徴とする、請求項４記載のカメラ用自動焦点調節構造。
【請求項７】
前記突起と凹槽が、前記上コイルベースと、前記上コイルベースが配置された前記鏡筒の上端部に形成され、且つ前記下コイルベースと、前記下コイルベースが配置された前記鏡筒の下端部にも形成されることを特徴とする、請求項４記載のカメラ用自動焦点調節構造
【請求項８】
前記突起が前記鏡筒あるいは前記コイルベースに一体に形成され、前記凹槽が径方向へ前記コイルベースあるいは前記鏡筒に貫通することを特徴とする、請求項１記載のカメラ用自動焦点調節構造。
【請求項９】
前記突起と凹槽が軸方向へ延長して形成される方形体、円柱体、または半円柱体であることを特徴とする、請求項１記載のカメラ用自動焦点調節構造。
【請求項１０】
前記カメラ用自動焦点調節構造は、前記レンズモジュール、前記永久磁石、及びコイルが巻かれたコイルベースを収容するため枠フレームを、さらに含み、
前記枠フレームは、枠体及び前記枠体と係合するシートを含み、
前記シートに前記コイルを電気接続させるための連接端子が設置されることを特徴とする、請求項１記載のカメラ用自動焦点調節構造。
【請求項１１】
前記連接端子がＺ字状体あるいはＬ字状体に形成されることを特徴とする、請求項１０記載のカメラ用自動焦点調節構造。
【請求項１２】
前記コイルベースに前記コイルの両端を案内する２つのガイド端子が形成され、
前記コイルの両端が前記ガイド端子に巻かれる共に、前記シートに設置される連接端子と電気接続することを特徴とする、請求項１０記載のカメラ用自動焦点調節構造。
【請求項１３】
シートと、
鏡筒と、
前記鏡筒の内に装着されるレンズと、
前記鏡筒の外周面を囲む永久磁石と、
前記永久磁石の両端にそれぞれ設置される上コイルベース及び下コイルベースと、
前記上コイルベース及び下コイルベースにそれぞれ巻かれる上コイル及び下コイルと、を含むカメラ用自動焦点調節構造において、
前記下コイルベースが前記シートの上に設置され、
前記上コイルベースまたは前記下コイルベースと前記鏡筒との間に、レンズを直線に沿って伸縮移動するように案内する少なくとも１つの凹槽と突起が形成されていることを特徴とするカメラ用自動焦点調節構造。
【請求項１４】
前記シートには、電源の両極と電気接続する第一連接端子及び第二連接端子がそれぞれ設けられ、
前記上コイルの一端と下コイルの一端が、前記第一連接端子及び第二連接端子とそれぞれ電気接続することを特徴とする、請求項１３記載のカメラ用自動焦点調節構造。
【請求項１５】
前記上コイルベースに、上コイルの両端を案内する２つのガイド端子がそれぞれ形成され、
前記上コイルの両端が、前記上コイルベースの２つのガイド端子にそれぞれ巻かれ、
前記下コイルベースに下コイルの両端を案内する２つのガイド端子がそれぞれ形成され、
前記下コイルの両端が前記下コイルベースの２つのガイド端子にそれぞれ巻かれることを特徴とする、請求項１４記載のカメラ用自動焦点調節構造。
【請求項１６】
前記シートに第三連接端子が設けられ、
前記第一連接端子は前記下コイルの一端と電気接続し、
前記第二連接端子は上コイルの一端と電気接続し、
前記第三連接端子は上コイル及び下コイルの他端と電気接続することを特徴とする、請求項１５記載のカメラ用自動焦点調節構造。
【発明の詳細な説明】
【技術分野】
【０００１】
本発明は、カメラ用自動焦点調節構造に係わり、特に二段式自動焦点調節構造に関する。
【背景技術】
【０００２】
デジタル技術の発展に従って、携帯電話、ＰＤＡ（個人情報端末）などの携帯電子装置が小型化、多機能化の方向へ発展している。携帯電子装置の小型化を実現するために、前記携帯電子装置に用いるデジタルカメラ及びこのデジタルカメラに用いるレンズモジュールを小型化に構成する必要がある。
【０００３】
現在のカメラ用モータは、レンズ及びレンズを移動するように駆動させるモータを含む。前記モータは、永久磁石及び電源と、電気接続するコイルが巻かれたコイルベースと、を含む。前記コイルに通電する場合、コイルに生じる磁場と永久磁石の磁場と間の作用力により、レンズを伸縮移動させ、カメラの焦点を調節することができる。しかし、加工技術の制限によって、レンズとモータの形状を絶対の理想的な形状に加工することはできず、且つレンズをモータの内に装着する時、レンズとモータとの間に間隙が形成されることは避けられない。従って、レンズが移動する過程において、揺動するか回転するなどの状況が発生し、レンズを安定に移動させることはできない。従って、焦点を正確に調節することができず、且つカメラの画像に影響を与える可能性がある。
【発明の開示】
【発明が解決しようとする課題】
【０００４】
以上の問題点に鑑み、レンズを伸縮移動させるように案内する構造を持つカメラ自動焦点調節構造を提供することを目的とする。
【課題を解決するための手段】
【０００５】
レンズモジュールと、前記レンズモジュールを囲む永久磁石と、前記永久磁石の一側に設置される少なくとも１つのコイルベースと、前記コイルベースに巻かれるコイルと、を含むカメラ用自動焦点調節構造において、前記レンズモジュールは、鏡筒と、前記鏡筒の内に装着されるレンズと、を含み、前記鏡筒と前記コイルベースの間には、レンズを伸縮移動させるように案内する凹槽と突起がそれぞれ形成されている。
【０００６】
シートと、鏡筒と、前記鏡筒の内に装着されるレンズと、前記鏡筒の外周面を囲む永久磁石と、前記永久磁石の両端に、それぞれ、設置される上コイルベース及び下コイルベースと、前記上コイルベース及び下コイルベースにそれぞれ巻かれる上コイル及び下コイルと、を含むカメラ用自動焦点調節構造において、前記下コイルベースが前記シートの上に設置され、前記上コイルベースまたは前記下コイルベースと前記鏡筒の間に、レンズを直線に沿って伸縮移動するように案内する少なくとも１つの凹槽と突起が形成されている。
【発明の効果】
【０００７】
上述したように、本発明のカメラ用自動焦点調節構造は、前記コイルと永久磁石の作用力によりレンズを移動させ、且つ前記鏡筒と前記コイルベースの間に前記レンズを伸縮移動させるように案内する凹槽及び凹槽が設置されているので、前記レンズが軸線方向に沿って伸縮移動するように案内し、レンズの回転または揺動を防ぐことができる。
【発明を実施するための最良の形態】
【０００８】
以下、図面を参照しながら、本発明に係る具体的実施例の構成を詳細に説明する。
【０００９】
図１及び図２を参照する。本発明のカメラ用自動焦点調節構造は、デジタルカメラや、携帯電話に付されるカメラや、撮影モニターなどのような撮影レンズを有する設備に用いることができる。前記カメラ用自動焦点調節構造は、枠フレーム１と、前記枠フレーム１の内に設置されるレンズモジュール２と、前記レンズモジュール２を囲む永久磁石３と、前記永久磁石３の両側に、それぞれ、設置される上コイルベース６ａ、下コイルベース６ｂと、所定の方向に沿って前記上コイルベース６ａ、下コイルベース６ｂにそれぞれ巻き付ける上コイル５ａ、下コイル５ｂと、を含む。
【００１０】
前記枠フレーム１内には、前記レンズモジュール２と、前記永久磁石３と、前記上コイル５ａ、下コイル５ｂと、前記上コイルベース６ａ、下コイルベース６ｂと、を収容する収容空間（図示せず）が設けられている。前記枠フレーム１は、中空の略直方体である枠体１０と、カバー１２と、シート１４と、を含む。前記シート１４は、中心に開口（図示せず）が設けられる方形枠である。前記シート１４の下方に回路基板１６が設置され、前記回路基板１６にイメージセンサー（図示せず）が設置されている。
【００１１】
前記シート１４の四隅には、上へ突出した４つの突出部が形成されている。互いに隣接する２つの突出部には、連接端子１４４及び連接端子１４６を収納する貫通孔１４０及び貫通孔１４２が設けられている。前記連接端子１４４及び１４６はＺ字状体である。前記連接端子１４４及び１４６は、前記突出部の上表面に配置されて前記上コイル５ａ、下コイル５ｂと電気接続する平面的な扇形の上端部と、前記突出部の下表面に配置されて回路基板と電気接続する下端部と、前記貫通孔１４０及び１４２に収納され、且つ前記上端部及び下端部に皆垂直するように上端部及び下端部を連結する連接部と、を含む。前記シート１４の他の突出部には、連接端子１４８を収納させるための盲孔１４１が設けられている。前記連接端子１４８は逆L字状体であり、一端が前記盲孔１４１に挿入され、他端は扇形に形成され、且つ前記盲孔１４１が設けられる突出部の上表面に配置されている。前記連接端子１４４、１４６及び１４８は導電材料で製造する。
【００１２】
前記連接端子１４４、１４６及び１４８が配置される３つの突出部には、外縁から内へ凹設した階段部１４５が形成されている。前記枠体１０の１つの隅部には、ガイド切欠角１０２が形成され、前記連接端子１４４、１４６、１４８を設けられない前記シート１４の突出部には前記ガイド切欠角１０２と係合し、且つ上へ突出したガイド三角突部１４９が形成されている。前記枠体１０を前記シート１４に組み立てる時、枠体１０のフランジ部が前記シート１４の階段部１４５に支持され、前記ガイド切欠部１０２が前記シート１４のガイド三角突部１４９の内壁に当接する。前記カバー１２は前記枠体１０の上端を覆う。前記カバー１２のサイズ及び形状が前記枠体１０のサイズ及び形状と大体同じであり、中心にレンズモジュール２の伸縮移動に用いる円孔（図示めせず）が設けられている。
【００１３】
前記レンズモジュール２は、環状の鏡筒２０と、前記鏡筒２０の内に装着するレンズ２２と、を含む。前記鏡筒２０は、中心に円柱体の収容空間２０４が設けられている。前記鏡筒２０の内壁に内ネジ山２０６ａが形成され、前記レンズ２２の外表面に外ネジ山２０６ｂが形成されている。前記レンズ２２を前記鏡筒２０の内に装着する時、前記内ネジ山２０６ａと外ネジ山２０６ｂの螺合によりレンズ２２が鏡筒２０に一体に固定される。前記永久磁石３は、前記鏡筒２０の外周面を囲むように鏡筒２０の外周面に設置されている。前記永久磁石３の下方には、前記鏡筒２０の外周面から外部へ突出して形成された環状の突縁２０８が設けられている。前記突縁２０８は、永久磁石３を支持し、前記永久磁石３と下コイルベース６ｂを分離させる。
【００１４】
前記永久磁石３の下方に位置する前記鏡筒２０の下端部には、軸線方向に沿って切った２つの方形の凹槽２０２が形成されている。前記２つの凹槽２０２は対称に配置され、且つ鏡筒２０の径方向に沿って鏡筒２０に貫通する。前記永久磁石３の上方には、銅などのような非磁性材料で製造した環状のガスケット８が付着されている。前記ガスケット８は、前記永久磁石３と前記上コイルベース６ａを分離する。即ち、前記ガスケット８と前記突縁２０８が前記永久磁石３の両端に対称に配置されるように粘着剤を用いて前記ガスケット８を前記鏡筒２０に付着させる。すると、前記レンズモジュール２と、永久磁石３と、環状のガスケット８とが一体に固定されるので、レンズの焦点調節を実現することができる。
【００１５】
前記上コイル５ａと下コイル５ｂに生じる磁場を強めるために、前記上コイルベース６ａと下コイルベース６ｂを鉄などのような磁性材料で製造。前記上コイルベース６ａは、中心に円穴６２ａが設けられる方形の底板６０ａと、前記方形の底板６０ａの円穴６２ａの内縁から上へ延長して形成される環形壁６４ａと、前記方形の底板６０ａに形成される端子６０２ａ及び６０４ａと、を含む。前記下コイルベース６ｂは、中心に円穴６２ｂが設けられる方形の底板６０ｂと、前記方形の底板６０ｂの円穴６２ｂの内縁から上へ延長して形成される環形壁６４ｂと、前記方形の底面６０ｂに形成される端子６０２ｂ及び６０４ｂと、を含む。
【００１６】
前記上コイルベース６ａの底板６０ａの形状及びサイズが前記カバー１２の形状及びサイズと大体同じである。前記端子６０２ａは入線端子であり、前記端子６０４ａは出線端子であり、前記上コイルベース６ａの底板６０ａの対角線にそれぞれ設けられている。前記下コイルベース６ｂの底板６０ｂのサイズが前記シート１４のサイズと同じである。前記下コイルベース６ｂの四隅には、サイズ及び形状が前記シート１４の突出部のサイズ及び形状と同じ切欠部（図示せず）が形成されている。即ち、前記前記下コイルベース６ｂの切欠部を前記シート１４の四隅に係合させると、前記下コイルルベース６ｂが前記シート１４に固定される。前記端子６０２ｂは入線端子であり、前記端子６０４ｂは出線端子であり、前記底板６０ｂの隣接する２つの隅部に、それぞれ、設けられており、且つ、前記端子６０２ａ及び端子６０４ａは前記底面６０ａに直角な方向へ延長して形成され、前記端子６０２ｂ及び端子６０４ｂは前記底面６０ｂに直角な方向へ延長して形成されている。
【００１７】
前記上コイル５ａと下コイル５ｂは、所定の方向に沿って前記環形壁６４ａと環形壁６４ｂの外周面に、それぞれ、巻かれている。前記コイル５ａの両端が前記端子６０２ａ及び６０４ａにそれぞれ巻かれ、前記コイル５ｂの両端が前記端子６０２ｂ及び６０４ｂにそれぞれ巻かれている。
【００１８】
前記環形壁６４ｂの外周面には、外表面から径方向に沿って内へ曲げて形成した２つの方形の凹槽２０２が設けられている。前記２つの方形の凹槽２０２は前記環形壁６４ｂの軸心に対称するように設置され、サイズ及び位置が前記鏡筒２０の下端部に設ける２つの方形の凹槽２０２にそれぞれ対応する。前記突起６４２を前記凹槽２０２に係合すると前記レンズモジュール２の円周方向の位置が決められる。
【００１９】
図３及び図４に示したように、前記カメラ用自動焦点調節構造を組み立てる時、前記永久磁石３を前記突縁２０８の上に置かれるように前記鏡筒２０の外表面の中部に装着し、且つ前記環状のガスケット８を永久磁石３の上端に置く。次に、前記永久磁石３と、前記環状のガスケット８と、前記レンズモジュール２と、を一緒に前記枠体１０の収容空間の内に収容する。
【００２０】
前記上コイルベース６ａと下コイルベース６ｂが前記永久磁石３の両側にそれぞれ位置するように前記レンズモジュール２の両端に装着する。前記下コイルベース６ｂの底板６０ｂを前記シート１４の上に係合し、前記下コイルベース６ｂの環形壁６４ｂの２つの方形の突起６４２を前記鏡筒２０の方形の凹槽２０２の内に挿入する。前記下コイルベース６ｂの端子６０２ｂ及び６０４ｂが前記連接端子１４４及び１４８が配置される前記シート１４の隅部の上にそれぞれ置かれるように、前記上コイルベース６ａの底板６０ａを前記カバー１２の上方に装着する。次に、前記上コイルベース６ａの端子６０２ａ及び６０４ａが前記連接端子１４６及び１４８が配置される前記シート１４の隅部の上にそれぞれ置かれるように、前記上コイルベース６ａを前記上コイルベース６ａの上方に装着する。次に、前記カバー１２を前記上コイルベース６ａの底板６０ａの上に装着する。
【００２１】
前記上コイル５ａを所定の方向に沿って前記上コイルベース６ａの環形壁６４ａの外周面に巻き付け、前記上コイル５ａの一端を前記入線端子６０２ａに巻き付け、他端を前記出線端子６０４ａに巻き付ける。前記下コイル５ｂを所定の方向に沿って前記下コイルベース６ｂの環形壁６４ｂの外周面に巻き付け、前記下コイル５ｂの一端を前記入線端子６０２ｂに巻き付け、他端を前記出線端子６０４ｂに巻き付ける。この後、前記上コイルベース６ａの入線端子６０２ａに巻かれる前記上コイル５ａの一端と、前記下コイルベース６ｂの入線端子６０２ｂに巻かれる下コイル５ｂの一端を、一緒に前記シート１４の盲孔１４１の設置される前記連接端子１４８に溶接させる。前記上コイルベース６ａの出線端子６０４ａに巻かれる前記上コイル５ａの他端と、前記下コイルベース６ｂの出線端子６０４ｂに巻かれる前記下コイル５ｂの他端を、それぞれ前記シート１４の連接端子１４４と連接端子１４６に溶接させる。すると、図３に示したように前記上コイル５ａと下コイル５ｂとが直列回路を構成するともに、前記回路基板１６の電源と電気回路を構成する。
【００２２】
上述したように、前記連接端子１４４、連接端子１４６、及び連接端子１４８が設けられているので、前記上コイル５ａ及び下コイル５ｂを直に電源に電気接続することができる。即ち、外部の電線でコイルを電源に電気接続する必要がないから、装置の構造を簡単にすることができる。且つ、前記ガスケット８が前記永久磁石３と前記上コイル５ａとの間に設置され、前記突縁２０が前記永久磁石３と前記下コイル５ｂとの間に設置されるので、焦点調節する時に、前記上コイル５ａまたは下コイル５ｂが直に前記永久磁石３に接触することを防ぐことができる。即ち、前記上コイル５ａまたは前記下コイル５ｂが前記永久磁石３に直に接続して、大きな磁力が生じることを防ぐことができる。
【００２３】
デジタルカメラを使う時、前記レンズ２２が遠焦点の位置と近焦点の位置との間で往復する。前記永久磁石３の上方がＮ極であり、下方がＳ極であると仮定する。前記上コイル５ａ及び下コイル５ｂを方向が異なるから、両者に方向が異なる磁場（極性）が生じる。前記レンズ１１２が近焦点の位置からと遠焦点の位置へ移動する前に、前記レンズ１１２が遠焦点の位置に置かれている。この時、前記上コイルベース６ａの環形壁６４ａの頂端が前記環状のガスケット８に当接し、前記下コイルベース６ｂの環形壁６４ｂの頂端と前記突縁２０８の間に一定の間隙が形成される。
【００２４】
前記上コイル５ａ及び下コイル５ｂに通電すると、前記上コイル５ａの上方がＳ極になり、下方がＮ極になり、且つ前記下コイル５ｂの上方がＮ極になり、下方がＳ極になる。即ち、前記上コイルベース６ａの上方がＳ極になり、下方がＮ極になり、前記下コイルベース６ｂの上方がＮ極になり、下方がＳ極になる。
【００２５】
前記上コイルベース６ａの下端がＮ極であり、前記永久磁石３の上端もＮ極であるから、両者が互いに反発する。前記下コイルベース６ｂ下端がＮ極であり、前記永久磁石３の上端がＳ極であるから、両者が互いに引き合う。前記反発し、引き合う作用力により、前記レンズ１１２と永久磁石１２が遠焦点の位置から近焦点の位置へ移動する。この時、前記下コイルベース６ｂの環形壁６４ｂの頂端が前記突縁２０８に当接し、前記上コイルベース６ａの環形壁６４ａの頂端と前記環状のガスケット８の間には一定が間隔が形成される。
【００２６】
前記下コイルベース６ｂの内表面の突起６４２が前記鏡筒２０の凹槽２０２の内に係合するから、前記鏡筒２０が円周方向へ回転することを制限する。即ち、前記突起６４２が軸線方向に沿って形成されるので、前記レンズ２２が軸線方向に沿って伸縮移動するように案内し、レンズの回転または揺動することを防ぐことができる。
【００２７】
前記デジタルカメラのレンズ２２を近焦点の位置から遠焦点の位置へ移動させることが所望される時、前記上コイル５ａ及び下コイル５ｂの電流方向を改変する。すると、前記上コイル５ａ及び下コイル５ｂに元の極性と反対の極性が生ずる。しかし、前記永久磁石３の磁場の方向が改変しないので、前記レンズモジュール２が前記永久磁石３と一緒に近焦点の位置から遠焦点の位置へ移動することができる。前記下コイルベース６ｂの内表面の突起６４２が前記鏡筒２０の凹槽２０２の内に係合するから、前記鏡筒２０の円周方向回転することを制限する。即ち、前記突起６４２が軸線方向に沿って形成されたので、前記レンズ２２が軸線方向に沿って伸縮移動するように案内され、レンズの回転または揺動を防ぐことができる。
【００２８】
前記レンズモジュール２が遠焦点の位置または近焦点の位置に到達した後、前記上コイル５ａと下コイル５ｂへの電気を遮断すると、前記上コイルベース６ａと下コイルベース６ｂの磁場が消える。しかし、前記上コイルベース６ａと下コイルベース６ｂを磁性材料で製造したので、前記永久磁石３が前記上コイルベース６ａまたは下コイルベース６ｂを引き合う。即ち、前記レンズモジュール２に電力を提供しなくても、前記レンズモジュール２が相変わらず遠焦点の位置または近焦点の位置に置かれているので、電力を節約することができる。
【００２９】
前記環状のガスケット８が前記永久磁石３と上コイルベース６ａとの間に設置され、前記突縁２０が前記永久磁石３と下コイルベース６ｂとの間に設置されているので、焦点調節する時に、前記上コイルベース６ａまたは下コイルベース６ｂが直に前記永久磁石３に接触するのを防ぐことができる。即ち、前記上コイルベース６ａまたは前記下コイルベース６ｂが直に前記永久磁石３に接続されて、大きい磁力が生じることを防ぐことができる。
【００３０】
本発明の実施例において、前記鏡筒２０の底端の凹槽２０２と前記下コイルベース６ｂの突起６４２とが係合するので、前記レンズモジュール２の回転を制限し、レンズを安定に伸縮移動するように案内し、焦点調節を正確にすることができる。これで、前記凹槽２０２と前記突起６４２は位置を交換することができる。即ち、前記凹槽２０２を下コイルベース６ｂに設け、前記突起６４２を前記鏡筒２０に設けることができる。
【００３１】
あるいは、前記突起６４２と凹槽２０２を前記鏡筒２０の上端部と前記上コイルベース６ａとの間に設けるか、前記鏡筒２０の下端部と前記下コイルベース６ｂとの間に設けることもできる。前記突起６４２を前記鏡筒２０或いは前記コイルベース６ａ及び６ｂに一体に設けることもできる。前記突起６４２と前記凹槽２０２の数量と形状は、前記カメラ用自動焦点調節構造の相違に従って自由に決定することができる。例えば、円柱形、半円柱形などの形状に設けることができる。
【図面の簡単な説明】
【００３２】
【図１】本発明に係るカメラ用自動焦点調節構造の一つの実施例の立体分解図である。
【図２】図１に示すカメラ用自動焦点調節構造の立体組立図である。
【図３】図２に示すカメラ用用自動焦点調節構造の内部の構造の斜視図である。
【図４】図１に示すカメラ用自動焦点調節構造の断面図である。
【図５】図４に示す楕円Ｖ部分の拡大図である。
【符号の説明】
【００３３】
１  枠フレーム
２  レンズモジュール
３  永久磁石
５ａ  上コイル
５ｂ  下コイル
６ａ  上コイルベース
６ｂ  下コイルベース
８  環状のガスケット
１０  枠体
１２  カバー
１４  シート
１６  回路基板
２０  鏡筒
２２  レンズ
６０ａ  底面
６０ｂ  底面
６２ａ  円穴
６２ｂ  円穴
６４ａ  環形壁
６４ｂ  環形壁
１０２  ガイド切欠部
１４０  貫通孔
１４１  盲孔
１４２  貫通孔
１４４  連接端子
１４５  階段部
１４６  連接端子
１４８  連接端子
１４９  階段部
２０２  凹槽
２０４  収容空間
２０６ａ  ネジ山
２０６ｂ  ネジ山
２０８  突縁
６０２ａ  端子
６０２ｂ  端子
６０４ａ  端子
６０４ｂ  端子
６４２  突起
【図１】
2008058964.tif 000003
【図２】
2008058964.tif 000004
【図３】
2008058964.tif 000005
【図４】
2008058964.tif 000006
【図５】
2008058964.tif 000007